(57)【要約】【課題】枠体に対するセットを容易に行なえ、清潔に取り扱いできる簡易トイレ用屎尿排泄袋を提供する。【解決手段】内部に空間部を有し、上端に腰を掛けることができる便座としての天板を備えた簡易トイレ枠体にセットされる簡易トイレ用屎尿排泄袋であって、合成樹脂からなる２枚のシート部３０ａ，３０ａを重ねた状態にしてそのシート部３０ａ，３０ａの前後両端部および下端が閉じられた袋本体３０の上端近傍に互いに噛み合う凸条部と凹条部とからなるチャック３３を備えて袋本体３０の上端を開閉自在とし、前記チャック３３の上部の袋本体３０の２枚のシート３０ａ，３０ａの上端に前後方向の中央で繋がる延設シート部３４，３４を設け、前記チャック３３の上部の袋本体３０の２枚のシート３０ａ，３０ａの上端と延設シート部３４，３４との間には前後方向の両端において切り目が入れられ、前記延設シート部３４，３４を簡易トイレ枠体の上端近傍に対し脱着自在とした。【選択図】    図８
2006288668.tif 000002
【特許請求の範囲】
【請求項１】
内部に空間部を有し、上端に腰を掛けることができる便座としての天板を備えた簡易トイレ枠体にセットされる簡易トイレ用屎尿排泄袋であって、合成樹脂からなる２枚のシート部を重ねた状態にしてそのシート部の前後両端部および下端が閉じられた袋本体の上端近傍に互いに噛み合う凸条部と凹条部とからなるチャックを備えて袋本体の上端を開閉自在とし、前記チャックの上部の袋本体の２枚のシート部の上端に前後方向の中央で繋がる延設シート部を設け、前記チャックの上部の袋本体の２枚のシート部の上端と延設シート部との間には前後方向の両端において切り目が入れられ、前記延設シート部を簡易トイレ枠体の上端近傍に対し脱着自在としたことを特徴とする簡易トイレ用屎尿排泄袋。
【請求項２】
チャックの上部の袋本体の２枚のシート部と延設シート部との間に形成された切り目の終端に繋がって円形の孔が形成されていることを特徴とする請求項１記載の簡易トイレ用屎尿排泄袋。
【発明の詳細な説明】
【技術分野】
【０００１】
本発明は、非常時用として便利な簡易トイレ用屎尿排泄袋に関するものである。
【背景技術】
【０００２】
従来の簡易トイレとして例えば特許文献１に開示されているような、折り畳み可能な枠体と、この枠体の四隅に着脱自在に取り付けられて該枠体を折り畳み状態から広げた状態に保持及び補強する補強部材と、排泄物を受ける袋体と、この袋体を前記枠体内に着脱自在に固定するとともに便座をも構成する固定部材とからなり、前記袋体が屎尿受け部となる簡易トイレが知られている。
【特許文献１】特開平８−２２４１９０号公報
【発明の開示】
【発明が解決しようとする課題】
【０００３】
上記特許文献１に記載の簡易トイレの構成では、枠体に収納される袋体は枠体に着脱自在に固定するための固定部材により枠体の上端に折り返し状態でセットされるのであるが、袋体を枠体にセットするために固定部材が必要であり、また枠体から固定部材を外して使用しない状態が続くと、固定部材が紛失する可能性があり、再度使用したいときに袋体のセットができないという問題があった。
【０００４】
本発明の目的は、このような課題を解決するものであり、枠体にセットするために脱着自在な固定部材を用いることなく、セットを容易に行なえ、清潔に取り扱いできる簡易トイレ用屎尿排泄袋を提供することにある。
【課題を解決するための手段】
【０００５】
本発明の請求項１に記載の簡易トイレ用屎尿排泄袋は、内部に空間部を有し、上端に腰を掛けることができる便座としての天板を備えた簡易トイレ枠体にセットされる簡易トイレ用屎尿排泄袋であって、合成樹脂からなる２枚のシート部を重ねた状態にしてそのシート部の前後両端部および下端が閉じられた袋本体の上端近傍に互いに噛み合う凸条部と凹条部とからなるチャックを備えて袋本体の上端を開閉自在とし、前記チャックの上部の袋本体の２枚のシート部の上端に前後方向の中央で繋がる延設シート部を設け、前記チャックの上部の袋本体の２枚のシート部の上端と延設シート部との間には前後方向の両端において切り目が入れられ、前記延設シート部を簡易トイレ枠体の上端近傍に対し脱着自在としたことを特徴とする。
【０００６】
請求項２に記載の簡易トイレ用屎尿排泄袋は、チャックの上部の袋本体の２枚のシート部と延設シート部との間に形成された切り目の終端に繋がって円形の孔が形成されていることを特徴とする。
【発明の効果】
【０００７】
以上のように、本発明の簡易トイレ用屎尿排泄袋は、チャックの上部の袋本体の２枚のシート部の上端と延設シート部との間には前後方向の両端において切り目が入れられていることにより、簡易トイレ枠体内に対する袋本体のセットが容易に行なえるとともに、延設シート部を簡易トイレ枠体の上端近傍に対し例えば簡易トイレ枠体の左右の側板の上端近傍に設けたフックに係止させたりあるいは両面粘着テープあるいは面ファスナーなどを用いて脱着自在とすることにより簡易トイレ枠体に対する屎尿排泄袋の装着作業が容易に行なえる。また、用を足した後、屎尿排泄袋を捨てるときは延設シート部を簡易トイレ枠体から外しながら前記チャックを閉じることにより清潔に取り扱いが可能となる。さらに、チャックの上部の袋本体の２枚のシート部と延設シート部との間に形成された切り目の終端に繋がって円形の孔が形成されていることにより切り目の終端でチャックの上部の袋本体の２枚のシート部と延設シート部との間が裂けにくくなる。
【発明を実施するための最良の形態】
【０００８】
以下、本発明の一実施の形態を、図１〜図１２を用いて具体的に説明する。
図において、１は段ボール板を組み立てることにより前後方向にやや長く作られた平面形状がほぼ長方形の枠体本体で、この枠体本体１は前後左右の計４枚の側板２，３，４，５と、各側板２，３，４，５の下端に連設された底フラップ６，７，８，９と、前後の側板２，３の上端に連設された上フラップ１０，１１と、左右の側板４，５の上端に連設され前記上フラップ１０，１１の上から閉じられる天板１２，１３とから構成されている。１４は前記枠体本体１の内部に挿入される段ボール板製の補強材であり、この補強材１４は前記枠体本体１の左右の側板４，５と平行な板体１５，１６と、前後の側板２，３と平行で前記板体１５，１６に直交する方向に向き板体１５，１６と組み合わされる板体１７，１８とからなり、板体１５，１６の長さ方向両端近傍において上端より高さ方向中間部に亘って形成された溝１５ａ，１６ａに板体１７，１８の長さ方向両端近傍において下端より高さ方向中間部に亘って形成された溝１７ａ，１８ａを係合させて補強材１４を組み立てている。
【０００９】
前記枠体本体１について詳細に説明すると、前記側板２，４間、側板４，３間、側板３，５間、側板５，２間は枠体本体１の縦方向の角を無くすようにテーパー状の板部１９，２０，２１，２２で繋がっている。また、前記各側板２，３，４，５の下端に連設された底フラップ６，７，８，９については、前後の側板２，３の下端に連設された底フラップ６，７は先に閉じられ、この底フラップ６，７の両端に形成された溝６ａ，６ａおよび７ａ，７ａに左右の側板４，５の下端に連設された底フラップ８，９の先端差し込み片８ａ，９ａを差し込み、枠体本体１の底部を構成している。なお、このように底フラップ６，７と底フラップ８，９を組み合わせた状態において、枠体本体１の底部中央は開口した状態となる。このように底部が組み立てられた枠体本体１の内部に上端より前記補強材１４を差し込む。この補強材１４の板体１５，１６の長さ方向両端は前後の側板２，３の内面に当接し、板体１７，１８の長さ方向両端は左右の側板４，５の内面に当接するようになっている。次に、前記前後の側板２，３の上端に連設された上フラップ１０，１１を閉じ、これら上フラップ１０，１１の中央の折り曲げ片１０ａ，１１ａを折り曲げて前記組み合わされた補強材１４の中に押し込み、折り曲げ片１０ａ，１１ａを板体１７，１８の内面に重ねる。その後、前記左右の側板４，５の内、右側の側板５の上端に連設された天板１３を閉じて、この天板１３の中央に切り込みを入れることにより形成された両側の折り曲げ片１３ａ，１３ａを補強材１４の中に押し込み、折り曲げ片１３ａ，１３ａを板体１５，１６の内面に重ねるとともに折り曲げ片１３ａ，１３ａの下端両側に設けた係止片１３ｂ，１３ｂを前記折り曲げ片１０ａ，１１ａの高さ方向中間部両側に形成された係止凹部１０ｂ，１１ｂに係止させる。これにより、折り曲げ片１０ａ，１１ａおよび折り曲げ片１３ａ，１３ａと枠体本体１の側板２，３，４，５との間で補強材１４が包まれ、天板１３の中央に大きな開口部２３が形成され、この天板１３の上から左側の側板４の上端に連設された天板１２を閉じるとともに左側の側板４との天板１２の連設側一側辺に対向する他側辺に設けた差し込み片２４を右側の側板５と天板１３との連設線に沿って形成された差し込み孔２５に差し込むことにより天板１２の浮き上がりを防止するようになっている。なお、前記天板１２には中央に天板１３の開口部２３と合致する大きな開口部２６が形成されている。図中、２７，２８は左右の側板４，５の上端近傍に設けられているフック、４ａ，５ａはこのフック２７，２８のやや下側位置で左右の側板４，５に形成されている取っ手孔である。
【００１０】
このようにして組み立てられた簡易トイレ枠体において、前記天板１２が便座の役目を果し、この天板１２に合成樹脂製の屎尿排泄袋２９がセットされるようになっている。
屎尿排泄袋２９は１枚の合成樹脂製シートを下端で折り曲げて形成された２枚のシート部３０ａ，３０ａを重ねた状態にしてそのシート部３０ａ，３０ａの前後両端部がヒートシールされて閉じられた袋本体３０の上端近傍に互いに噛み合う凸条部３１と凹条部３２とからなるチャック３３を備えて袋本体３０の上端を開閉自在とし、前記チャック３３の上部の袋本体３０の２枚のシート部３０ａ，３０ａの上端に前後方向の中央で繋がる延設シート部３４，３４を設け、この延設シート部３４，３４の上端中央にはフック孔３４ａ，３４ａが形成されている。ところで、チャック３３の上部の袋本体３０の２枚のシート部３０ａ，３０ａと延設シート部３４，３４とは前後方向の中央で繋がっているものの前後両端では繋がっておらず、両者間に切り目が入っており、この切り目の終端に繋がって円形の孔３５，３５が形成されている。
【００１１】
この屎尿排泄袋２９は前記簡易トイレ枠体の中にセットされるのであるが、そのとき前記延設シート部３４，３４を左右に開くとともに、前記チャック３３の係合を外して袋本体３０の上端を開き、延設シート部３４，３４を前記天板１３の開口部２６の左右の板部上に載せ、前記左右の側板４，５の上端近傍に設けられているフック２７，２８にフック孔３４ａ，３４ａを係止させることにより屎尿排泄袋２９は前記簡易トイレ枠体に装着される。この簡易トイレ枠体に対する屎尿排泄袋２９の装着作業時において、チャック３３の上部の袋本体３０の２枚のシート部３０ａ，３０ａと延設シート部３４，３４とは前後方向の中央で繋がっているものの前後両端では繋がっておらず、両者間に切り目が入っているので袋本体３０を天板１３の開口部２６の下側にセットし易く、また切り目の終端に繋がって円形の孔３５，３５が形成されていることからシート部３０ａ，３０ａと延設シート部３４，３４との繋がり部が切り目の終端より裂けにくくなっている。
【００１２】
以上のようにして屎尿排泄袋２９を簡易トイレ枠体に装着した状態で前記天板１２に腰を掛けて洋式便器と同様に用を足すことができ、用を足した後は、袋本体３０の排泄物の上から凝固剤を振り掛けると排泄物が短時間で凝固し、その後何れか一方の延設シート部３４をフック２８から外してもう一方の延設シート部３４に重ねるようにし、フック２８から外された延設シート部３４のフック孔３４ａをもう一方のフック２７に引っ掛ける。その後、袋本体３０を少し持ち上げ、天板１２の板部上でチャック３３を閉じ、延設シート部３４，３４をフック２７から外し屎尿排泄袋２９を廃棄するものである。
【００１３】
ところで、以上述べた実施の形態では枠体本体１および補強材１４からなる簡易トイレ枠体は段ボール板製であるが、簡易トイレ枠体を構成する材料は段ボール板製に限らず、プラスチック製あるいは木製などであっても良く、要は簡易トイレ枠体の内部に空間部を有し、上端に洋式便器と同様に腰を掛けることができる天板を備えたものであれば良い。
【００１４】
また、屎尿排泄袋２９の延設シート部３４，３４にはフック孔３４ａ，３４ａを設け、このフック孔３４ａ，３４ａを左右の側板４，５の上端近傍に設けられているフック２７，２８に係止させて延設シート部３４，３４を左右の側板４，５の上端近傍に脱着自在に止めるように構成してあるが、フック２７，２８やフック孔３４ａ，３４ａを設けずに両面粘着テープあるいは面ファスナーなどを用いることも可能である。
【００１５】
さらに、前記屎尿排泄袋２９の袋本体３０の２枚のシート部３０ａ，３０ａと延設シート部３４，３４との間に前後両端で始めから切り目が入れられているが、この切り目の位置にミシン目状カット線を入れておき、簡易トイレ枠体に対する屎尿排泄袋２９の装着時にミシン目状カット線をカットするようにしても良い。
【図面の簡単な説明】
【００１６】
【図１】本発明の一実施の形態における枠体本体の展開図である。
【図２】同補強材の組み立て前の状態を示す斜視図である。
【図３】同枠体本体の底部の組み立て状態を示す斜視図である。
【図４】同枠体本体内に補強材を入れる状態を示す斜視図である。
【図５】同枠体本体内に補強材を入れて補強材を保持する状態を示す斜視図である。
【図６】同枠体本体の上端を形成する途中の状態を示す斜視図である。
【図７】同枠体本体の上端を形成した状態を示す斜視図である。
【図８】同簡易トイレ枠体にセットされる屎尿排泄袋の斜視図である。
【図９】同屎尿排泄袋を簡易トイレ枠体にセットする途中の状態を示す斜視図である。
【図１０】同屎尿排泄袋を簡易トイレ枠体にセットした状態を示す斜視図である。
【図１１】同屎尿排泄袋を簡易トイレ枠体にセットした状態を示す断面図である。
【図１２】同屎尿排泄袋の口を閉じる状態を示す斜視図である。
【符号の説明】
【００１７】
１                枠体本体
２，３，４，５    側板
１０，１１          上フラップ
１２，１３          天板
１４                補強材
２３，２６          開口部
２７，２８          フック
２９                屎尿排泄袋
３０                袋本体
３０ａ              シート部
３１                凸条部
３２                凹条部
３３                チャック
３４                延設シート部
３４ａ              フック孔
３５                孔
【図１】
2006288668.tif 000003
【図２】
2006288668.tif 000004
【図３】
2006288668.tif 000005
【図４】
2006288668.tif 000006
【図５】
2006288668.tif 000007
【図６】
2006288668.tif 000008
【図７】
2006288668.tif 000009
【図８】
2006288668.tif 000010
【図９】
2006288668.tif 000011
【図１０】
2006288668.tif 000012
【図１１】
2006288668.tif 000013
【図１２】
2006288668.tif 000014